(57)【要約】【課題】  小型であるにも拘らず、大きい駆動トルクを得る。【解決手段】  モータケース１の一端を塞ぐエンドカバー２上に、回転子軸３上の整流子８に当接するモータブラシ９を保持するためのブラシホルダ１０を備え、前記モータブラシ９の軸線が回転子軸３に対して直角以外の所定角度で交わるように、前記ブラシホルダ１０内に保持されたモータブラシ９を整流子８に当接させる。【選択図】  図１
2006325388.tif 000002
【特許請求の範囲】
【請求項１】
モータケースの一端を塞ぐエンドカバー上に、回転子軸の整流子に当接するモータブラシを保持するためのブラシホルダを備え、該ブラシホルダ内に保持された前記モータブラシの軸線が、前記回転子軸の中心線に対して直角以外の所定角度で交わるように、前記整流子に当接されていることを特徴とする小型モータ。
【請求項２】
前記ブラシホルダには、前記モータブラシを戴置するブラシ支持板を傾斜状態で保持するブラシ支持板保持部が設けられていることを特徴とする請求項１に記載の小型モータ。
【請求項３】
前記ブラシ支持板には、前記ブラシホルダ内への装着状態において該ブラシホルダの外部に露出する放熱フィンが突設されていることを特徴とする請求項２に記載の小型モータ。
【請求項４】
前記ブラシ支持板保持部は、前記ブラシ支持板の端部側縁に突設された各一の係止片を支持する一対のブラシ支持板係止凹部であることを特徴とする請求項２に記載の小型モータ。
【請求項５】
前記エンドカバー上には、前記回転子軸の軸受を保持する軸受保持板が取り付けられ、該軸受保持板上には、モータの駆動制御用回路およびモータの駆動制御を表示する発光ダイオードを搭載した回路基板が取り付けられていることを特徴とする請求項１に記載の小型モータ。
【請求項６】
前記モータケースの側壁および周壁には、該モータケース内に外気を取り込むとともに、該モータケース内の暖気を外部へ排出する通気孔が形成されていることを特徴とする請求項１に記載の小型モータ。
【請求項７】
前記ブラシホルダが金属製であることを特徴とする請求項１、２又は３に記載の小型モータ。
【請求項８】
前記ブラシ支持板上には、前記ブラシを弾性支持するためのスプリング部材が設置されていることを特徴とする請求項２、３又は４に記載の小型モータ。
【請求項９】
前記エンドカバー上には、支持筒を持つ取り付け部材が前記ブラシに接続された導電ワイヤ端とともにねじ固定され、前記支持筒には電源ワイヤ端に接続された電力供給用の丸型ファストン端子が圧入されていることを特徴とする請求項１に記載の小型モータ。
【発明の詳細な説明】
【技術分野】
【０００１】
本発明は、例えば、ラジコン等に使用する小型モータに関する。
【背景技術】
【０００２】
無線によるリモートコントロールによって走行または飛行する玩具用の車両や飛行機は、小型モータを動力源として備える。また、この小型モータはバッテリを電源として駆動されるため、直流モータが用いられる。
【０００３】
この直流モータは、バッテリから供給する電流を、モータブラシを介して、該これに当接する半円形の整流子に伝え、さらに電機子導体に導いて、この電機子導体を持つ回転子の半回転ごとにその電流の方向を切り替えながら、同一方向の回転トルクを得るというものである（例えば、特許文献１参照）。
【０００４】
また、このような直流モータでは、前記モータブラシと前記整流子との接触、非接触動作によるブラシノイズを発生するところから、ノイズ防止用のコンデンサを前記モータブラシに繋る回路に接続することにより、ブラシノイズをこのコンデンサに吸収させるようにしている。
【０００５】
ところで、直流モータの駆動トルクは、電機子電流の大きさに依存し、該電機子電流が大きいほど大きな駆動トルクが得られる。このため、大きな駆動トルクを得ようとする場合には、モータブラシおよび整流子を介して電機子導体（電機子コイル）に大電流を流す必要があり、このブラシの電流容量を予め大きくしておくことが望まれる。
【特許文献１】特開２００３−３７９６１号公報
【発明の開示】
【発明が解決しようとする課題】
【０００６】
しかしながら、従来の小型モータにあっては、モータブラシの電流容量を増すために該モータブラシのサイズを大きくすると、モータ本体の形状も大きくなり、例えばより小型の玩具用車両やロボットなどへの利用が難しくなるという問題があった。
【０００７】
本発明は、前記のような従来の問題を解決するためになされたものであり、小型であるにも拘らず、必要とする大きさの駆動トルクが得られる小型モータを提供することを目的とする。
【課題を解決するための手段】
【０００８】
前記目的達成のために、本発明にかかる小型モータは、モータケースの一端を塞ぐエンドカバー上に、回転子軸の整流子に当接するモータブラシを保持するためのブラシホルダを備え、該ブラシホルダ内に保持された前記モータブラシの軸線が、前記回転子軸の中心線に対して直角以外の所定角度で交わるように、前記前記整流子に当接されていることを特徴とする。
【０００９】
これにより、前記モータブラシを前記回転子軸に直交する方向に設置する必要がなくなるため、モータの外径を縮小化することができるとともに、前記モータブラシを広い接触面積にて前記整流子に当接させることができるため、この接触部の電流容量を大きくすることができる。このため、直流モータを高トルクで駆動することが可能になる。
【００１０】
また、本発明にかかる小型モータは、前記ブラシホルダが、前記モータブラシを戴置するブラシ支持板を傾斜状態で保持するブラシ支持板保持部を有することを特徴とする。
【００１１】
これにより、前記モータブラシの前記ブラシホルダへの出し入れをスムースに行えるとともに、前記ブラシ支持板が前記モータブラシと前記整流子との摩擦接触により発生する摩擦熱を前記ブラシホルダの外部へ導き易くし、前記モータブラシの冷却効率を高めることができるとともに、前記モータブラシの磨耗を低減することができる。
【００１２】
また、本発明にかかる小型モータは、前記ブラシ支持板に、前記ブラシホルダ内への装着状態において該ブラシホルダの外部に露出する放熱フィンが突設されていることを特徴とする。
【００１３】
これにより、前記モータブラシから前記ブラシ支持板に伝えられる摩擦熱を、前記放熱フィンを通じて前記ブラシホルダの外部の大気へ効率的に逃がすことができる。
【００１４】
また、本発明にかかる小型モータは、前記ブラシ支持板保持部が、前記ブラシ支持板の端部側縁に突設された各一の係止片を支持する一対のブラシ支持板係止凹部であることを特徴とする。
【００１５】
これにより、前記ブラシ支持板係止凹部に前記係止片を係止させるという簡単な操作のみで、前記モータブラシを所定角度で傾けた状態にて前記整流子に確実に当接及び保持することができる。
【００１６】
また、本発明にかかる小形モータは、前記エンドカバー上に、前記回転子軸の軸受を保持する軸受保持板が取り付けられ、該軸受保持板上には、モータの駆動制御用回路およびモータの駆動制御を表示する発光ダイオードを搭載した回路基板が取り付けられていることを特徴とする。
【００１７】
これにより、前記回路基板を熱発生部位から遠ざけることができるとともに、前記モータケースの一端側から前記発光ダイオードの点灯状況を確認可能とすることができる。
【００１８】
また、本発明にかかる小形モータは、前記モータケースの側壁および周壁に、該モータケース内に外気を取り込むとともに、該モータケース内の暖気を外部へ排出する通気孔が形成されていることを特徴とする。
【００１９】
この構成により、小型モータの駆動中に発熱する前記モータケース内の界磁コイルや前記整流子を効率的に空冷することができる。
【００２０】
また、本発明にかかる小型モータは、前記ブラシホルダが金属製であることを特徴とする。
【００２１】
この構成により、前記整流子に当接する前記モータブラシの熱を、前記ブラシホルダを通じて効率的に放熱することができる。
【００２２】
また、本発明にかかる小型モータは、前記ブラシ支持板上に、前記モータブラシを弾性支持するためのスプリング部材が設置されていることを特徴とする。
【００２３】
この構成により、前記モータブラシを前記ブラシホルダ内においてガタつきなく、かつ一定の摩擦抵抗を保ちながら安定に保持することができる。
【００２４】
また、本発明にかかる小型モータは、前記エンドカバー上に、支持筒を持つ取り付け部材が前記モータブラシに接続された導電ワイヤ端とともにねじ固定され、前記支持筒には電源ワイヤ端に接続された電力供給用の丸型ファストン端子が圧入されていることを特徴とする。
【００２５】
この構成により、モータブラシに接続された前記導電ワイヤの配線長を短くしながら、前記モータブラシに対する電源供給を可能にし、また前記導電ワイヤの他の部品との電気的干渉を回避することができる。
【発明の効果】
【００２６】
本発明の小型モータは、モータケースの一端を塞ぐエンドカバー上に、整流子に接触するモータブラシを保持するブラシホルダを備え、前記モータブラシの軸線が前記回転子軸の中心線に対して直角以外の所定角度で交わるように、前記前記整流子に当接させるように構成したので、前記モータブラシをモータの前記回転子軸に直交する方向に設置する必要がなくなり、モータの外径を縮小化することができる。また、前記モータブラシを広い接触面積にて整流子面に接触させることができるため、この接触部の電流容量を大きくすることができ、直流モータを高トルクで駆動することが可能になるという効果が得られる。
【発明を実施するための最良の形態】
【００２７】
以下、本発明の実施の一形態を、図面を参照して説明する。
【００２８】
図１は、本発明の実施の形態による小型モータの要部を示す斜視図であり、ここでは、モータ本体のエンドカバー付近のみを示してある。
【００２９】
同図において、符号１は、モータ本体を包む有底円筒型のモータケースで、該モータケース１内には、界磁コイルを持った固定子および電機子コイルを持った回転子が配置されている。また、前記モータケース１には、その一端を塞ぐように環状板状のエンドカバー２が取り付けられている。
【００３０】
前記エンドカバー２の中心部には、図２に示すような回転子軸３の一端部を貫通する中心孔４が形成されている。また、前記エンドカバー２上には、一対の軸受保持板５が回転子軸３を挟むように配置されている。これらの軸受保持板５には、回転子軸３端を回転自在に支持する軸受６が保持されている。
【００３１】
前記軸受保持板５には、前記軸受６とともにモータの駆動制御用ＩＣチップ等の回路部品Ｔを搭載した回路基板７が保持されている。この回路基板７の保持は、軸受保持板５の上端部（突部）をかしめることにより、容易になされる。
【００３２】
一方、前記中心孔４付近に臨む回転子軸３上には、硬銅からなる整流子８が、図示しない絶縁部材（例えば、マイカナイト類）を介して取り付けられており、該整流子８には、グラファイトなどからなる二つのモータブラシ９の先端部が当接されている。該各モータブラシ９は断面が矩形状をなし、それぞれ断面がΩ状の金属板からなるブラシホルダ１０内に収納されている。
【００３３】
前記ブラシホルダ１０は、前記エンドカバー２上に配置された取り付けプレート１１に一体に設けられ、前記整流子８に向かって先端が低くなるように傾斜している。なお、前記取り付けプレート１１は、前記エンドカバー２上に環状の絶縁板１２を介して取り付けられる。前記各ブラシホルダ１０内には、後述のブラシ支持板がそれぞれ前記各ブラシホルダ１０と同一の傾斜角度で収納され、各ブラシ支持板上に前記モータブラシ９が戴置されている。
【００３４】
このため、前記ブラシホルダ１０内に収納される前記ブラシ９は、該ブラシ９の軸線が、前記回転子軸３の中心線に対し９０°以外の角度で交差するように、所定角度傾斜して保持される。この結果、前記整流子８に接触する前記モータブラシ９の先端面９ａの面積は、前記モータブラシ９を、該モータブラシ９の中心軸に対して直交する方向に切断した場合の断面積よりも大きくなる。
【００３５】
従って、一般的な直流モータのようにモータブラシ軸を整流子の面に垂直に摺接させる従来のモータの駆動方式に比べて、モータブラシと整流子との当接部における電流容量を大きくすることができる。
【００３６】
また、前記ブラシホルダ１０は、図３に示すような一対の立ち上がり片１０ａと、これらの立ち上がり片１０ａを繋ぐ天板部１０ｂとからなり、該立ち上がり片１０ａの基部に前記取り付けプレート１１が連続している。前記各立ち上がり片１０ａの対向部位には、後述のねじりばねの移動および導電ワイヤの配線を可能にする凹部１３ａ、１３ｂが、それぞれ形成されている。
【００３７】
前記凹部１３ａ、１３ｂ下方の前記各立ち上がり片１０ａの対向部位には、ブラシ支持板保持部としてのブラシ支持板係止凹部１４が形成されている。該ブラシ支持板係止凹部１４の深さは、前記凹部１３ａ、１３ｂ  に比較して浅く形成されている。また、前記ブラシ支持板係止凹部１４は、後述のブラシ支持板の係止片を係止可能にして、前記モータブラシ９を前記ブラシホルダ１０内に傾斜させて配置する。
【００３８】
前記ブラシホルダ１０の天板部１０ｂには、Ｌ字状のばね係止片１５が切り起こされており、該ばね係止片１５に後述のねじりばねの端部が係止可能となっている。
【００３９】
前記絶縁板１２上には、前記取り付けプレート１１を介して、図３に示すような支柱１７が設立され、該支柱１７にねじりばね１６の基部が水平支持されている。該ねじりばね１６の一端は、前記モータブラシ９の後端面にある係止孔９ｂに挿入されている。また、前記ねじりばね１６の他端は、前記天板１０ｂに形成された前記ばね係止片１５に係止されている。
【００４０】
このため、前記ねじりばね１６には反発力が蓄積されており、前記ブラシホルダ１０内の前記ブラシ９を前記整流子８に対し、所定圧にて接触させるように付勢することとなる。
【００４１】
前記ブラシ９の後端には、前記整流子８を介して電機子コイルに電流を供給するための導電ワイヤ１８の一端が接続されている。該導電ワイヤ１８の他端は、丸型ファストン端子１９のワイヤ通し孔２０に挿通されている。また、該丸型ファストン端子１９には、電源ワイヤ４０の先端が、これに被せられたインナー部材を介して圧入され、さらに前記丸型ファストン端子１９が、前記取り付けプレート１１上に設立された取り付け部材２１と一体の支持筒２１ａ内に、着脱可能に圧入されている。
【００４２】
前記絶縁板１２には取り付け孔（図示しない）が設けられており、該取り付け孔を通して、保持金具２２下端のリング部に通したねじ２３が、エンドカバー２にねじ込まれている。これにより、前記保持金具２２上端のコ字状の保持部２２ａが、前記回路基板７に形成された係止孔７ａに係止される。従って、前記回路基板７はエンドカバー２側に安定保持される。
【００４３】
前記ブラシ９は、ブラシ支持板２４上に戴置されて、前記ブラシホルダ１０内に挿入および支持される。該ブラシ支持板２４の両側縁には、図３に示すように、前記ブラシホルダ１０の両立ち上がり片１０ａに沿ってガイドされるガイド突片２５と、各立ち上がり片１０ａに形成された前記ブラシ支持板係止凹部１４に係止される係止片２６がそれぞれ一体に突設されている。
【００４４】
前記ブラシ支持板２４の後端には、二つの放熱フィン２７がＬ字状に曲げられるように連接されている。該放熱フィン２７は、前記ブラシホルダ１０内に前記ブラシ支持板２４が収納されているとき、前記ブラシホルダ１０の外に露出する。
【００４５】
前記構成になる小型モータにあっては、直流電源の電圧が、前記丸型ファストン端子１９、前記導電ワイヤ１８を介して、それぞれのモータブラシ９に供給される。また、該モータブラシ９に供給された電圧は、半円形の前記各整流子８に伝えられ、さらに回転子コイルに導かれる。
【００４６】
このため、回転子コイルの半回転ごとに電機子電流の流れの方向が切り替えられ、駆動トルクが発生する。これにより前記回転子軸３は回転子コイルに直流電力が供給される限り、回転を継続することとなる。
【００４７】
この場合において、前記モータブラシ９は、前記回転子軸３の中心線に対し傾くようにして、前記ブラシホルダ１０内に保持されるため、前記回転子軸３に直交させた断面より大きな面積で、前記モータブラシ９と前記整流子８とが当接する。
【００４８】
したがって、前記モータブラシ９および前記整流子８の当接部における電流容量を大きくすることができ、比較的大きい電流を、前記モータブラシ９を介して前記整流子８および電機子巻線に供給することができる。
【００４９】
一方、前記のような比較的大きな接触面で前記モータブラシ９と前記整流子８とが当接することにより、これらの接触抵抗により発生する摩擦熱も大きくなる。本発明では、前記モータブラシ９を前記ブラシ支持板２４で直接支持するとともに、該ブラシ支持板２４に前記ブラシホルダ１０の外部へ露出する前記放熱フィン２７を設けている。
【００５０】
前記構成により、前記の発生した摩擦熱を、前記ブラシ支持板２４の全体に伝え、さらに前記放熱フィン２７へ伝えて外気へ放熱することにより、前記モータブラシ９を効率的に冷却することができる。従って、前記モータブラシ９の磨耗を低減（耐摩耗性を向上〉することができる。
【００５１】
また、前記モータブラシ９は前記整流子８との当接により経時的に磨耗するため、適時に交換する必要があるが、この磨耗の過程で、前記モータブラシ９を押圧する前記ねじりばね１６も変形する。前記ブラシホルダ１０に形成された前記凹部１３ｂは、前記ねじりばね１６の変形を許容する深さを有し、前記モータブラシ９の押圧動作を支障なく継続可能にする。
【００５２】
前記ガイド突片２５は、前記モータブラシ９を戴置した前記ブラシ支持板２４を、前記ブラシホルダ１０内において左右方向へ位置ずれすることなく、安定保持する。このため、前記モータブラシ９は、前記ブラシホルダ１０内の正規の位置に配置される。
【００５３】
前記モータブラシ９の前記ブラシホルダ１０に対する挿入終了時には、前記ブラシ支持板２４の前記係止片２６を前記ブラシホルダ１０の前記ブラシ支持板係止凹部１４に係止する。
【００５４】
前記構成により、前記ブラシ支持板２４は、前記ブラシホルダ１０内において所定角度傾き、前記ブラシ支持板２４上の前記モータブラシ９の先端が、図２に示すように前記整流子８の当接面に対し、つまり前記回転子軸３の中心線に対し所定角度および所定接触圧で接触する。なお、前記モータブラシ９としては、先端面が予め前記角度でカットされたものを予め用意して、使用することが必要である。
【００５５】
この結果、前記モータブラシ９の前記整流子８に対する接触面積が大きくなり、電流容量も大きくなり、モータの駆動トルクを、所定断面積の小形ブラシを使用するにも拘らず、増大させることができる。また、前記モータブラシ９を大型化しないため、モータ本体の外形が大きくならず、小型機器への搭載が容易になる等の利点が得られる。
【００５６】
図５は、本発明の他の実施形態による小型モータを示す斜視図であり、ここではモータ本体のエンドカバーを外して示してある。なお、図１に示したものと同一の構成部分には同一符号を付して、その重複する説明を省略する。
【００５７】
この実施形態では、前記支持筒２１ａを一体に有する前記取り付け部材２１の下部に、取り付け板２１ｂが延設されている。該取り付け板２１ｂは、前記取り付けプレート１１上に戴置され、これらを貫通するように前記取り付け板２１ｂの上から挿入されたねじ３１が、前記エンドカバー２にねじ込まれている。
【００５８】
そして、前記ねじ３１は、前記モータブラシ９の後端に接続された前記導電ワイヤ１８の他端（端子板）を、前記取り付け板２１ｂとともに前記取り付けプレート１１上に固定している。
【００５９】
一方、前記支持筒２１ａには、直流電力を導入する前記電源ワイヤ４０に接続された前記丸型ファストン端子１９が圧入可能になっている。該丸型ファストン端子１９には前記電源ワイヤ４０の先端が、これに被せられたインナー部材４１を介して、図１０に示すように圧入される。前記丸型ファストン端子１９は、前記と同様にワイヤ通し孔２０を持つ。しかし、この実施の形態では、前記ワイヤ通し孔２０には前記導電ワイヤ１８の他端を接続せずに、該導電ワイヤ１８の他端を、図５に示すように、ねじ３１によって前記取り付け部材２１の取り付け板２１ｂに接続している。したがって、直流電源の電圧が、前記丸型ファストン端子１９、前記取り付け部材２１、前記導電ワイヤ１８を介して、それぞれモータブラシ９に供給される。また、該モータブラシ９に供給された電圧は、半円形の前記各整流子８に伝えられ、さらに回転子コイルに導かれる。
【００６０】
これにより、前記導電ワイヤ１８の全長を、図６にも示すように、図１に示すものに比べて短くすることができる。従って、前記導電ワイヤ１８が他の部品に電気的に干渉することを、未然に回避することができる。
【００６１】
また、前記ワイヤ通し孔２０に、前記導電ワイヤ１８を挿し込むという面倒な作業の必要がなくなり、また、前記丸型ファストン端子１９の前記支持筒２１ａ内への圧入操作が容易かつスムースになる。
【００６２】
前記回路基板７は、モータの駆動制御用回路（ＩＣチップ）等の回路部品とともに、モータの駆動制御中に点灯する発光ダイオード（ＬＥＤ）３２を備えている。この発光ダイオード３２は、前記エンドカバー２上に被せられる、図示しないキャップに設けられた窓に臨む位置に設けられている。なお、この発光ダイオード３２はモータの駆動制御状態を点滅、点灯などで表示することができる。
【００６３】
また、前記ブラシホルダ１０は、図７に示すように、前記実施の形態と同様に、一対の立ち上がり片１０ａと、これらの立ち上がり片１０ａを繋ぐ天板部１０ｂとからなり、前記各立ち上がり片１０ａの基部に前記取り付けプレート１１が連設されている。前記各立ち上がり片１０ａの対向部位には、前記導電ワイヤ１８の配線および前記ねじりばね１６の移動を許容する凹部１３ａ、１３ｂがそれぞれ形成されている。
【００６４】
前記凹部１３ａ、１３ｂ下方の立ち上がり片１０ａの対向部位には、さらに前記凹部１３ａ、１３ｂに比較して浅い前記ブラシ支持板係止凹部１４が形成されている。そして、前記各立ち上がり片１０ａ上であって、前記ブラシ支持板係止切欠１４がある側とは反対側の部位には、係止孔３３が穿設されている。該係止孔３３は、前記ブラシ支持板２４に設けられた前記ガイド突片２５を係止保持するために設けられている。
【００６５】
前記ブラシ支持板２４は、基本的に図３に示したものと同様の形状、サイズを持つが、これの前後各一箇所にばね板係止孔３４が穿設されている。さらに、該ブラシ支持板２４上には、表面が平らに潤滑処理された一枚の弾性板３５が戴置されている。
【００６６】
前記弾性板３５は両端に、該弾性板３５より小形の係止片３６を一体に有し、該係止片３６が折曲されて前記ばね板係止孔３４に挿入されている。なお、挿入された前記係止片３６は、図８にも示すように、前記ブラシ支持板２４の裏面側にも折り曲げられて、前記ばね板係止孔３４からの抜けないように構成されている。なお、このとき、前記弾性板３５は、僅か上方へ膨らむような形態となる。
【００６７】
前記ブラシ支持板２４上に前記弾性板３５を戴置することにより、該弾性板３５が前記ブラシホルダ１０内に挿入された前記モータブラシ９を、ガタつきなく安定に支持するとともに、前記ねじりばね１６による前記モータブラシ９の前記整流子８方向への移動（滑動）をスムースにすることができる。
【００６８】
また、前記ブラシホルダ１０に対する前記ブラシ支持板２４の組み付け時に、該ブラシ支持板２４に設けられた前記ガイド突片２５が、前記ブラシホルダ１０の前記係止孔３３に嵌合される。その結果、前記ブラシホルダ１０に対し前記ブラシ支持板２４が抜け止めされて、安定的に保持される。
【００６９】
また、本実施形態では、前記モータブラシ９の後端面に、係止孔ではなく、水平溝３７が設けられ、該水平溝３７に前記ねじりばね１６の前記他端が、図８にも示すように係止される。その結果、前記ねじりばね１６の前記モータブラシ９後端面への係止操作を容易に行うことができる。
【００７０】
さらに、本実施形態では、前記モータケース１の円筒部１ａおよび底部１ｂには、これらの一部の打ち抜きによって、図８および図９に示すような通気孔（吸排気孔）３８が形成されている。該通気孔３８は略三角形状をなし、前記円筒部１ａの前記通気孔３８を形成する前記モータケース１の一部が、該モータケース１の内部方向に、略斜めに押し出し加工された空気排気部３８ａとされている。したがって、前記モータケース１内で熱交換された暖気の排出が滑らかに行えるように構成している。
【００７１】
また、図９に示すように、前記モータケース１の底部１ｂの通気孔３８を形成する前記モータケース１の一部が、該モータケース１の内部方向に切り起こされた傾斜片３８ｂとされており、これにより外気の前記モータケース１内への導入を滑らかに行えるようにしている。また、前記モータケース１の底部１ｂは、これの外周部分から前記通気孔３８に亘って連続するように押し出し加工されて、所定幅の外気吸入凹部３８ｃが形成されている。
【００７２】
従って、前記モータケース１の底部１ｂでは、前記傾斜片３８ｂおよび前記外気吸入凹部３８ｃが、前記モータケース１内へ大量の外気をスムースに吸入可能にしている。この結果、前記モータケース１内の前記整流子８と前記モータブラシ９の接触部を含む熱発生部を効率的に空冷し、この空冷で熱交換された暖気を、前記モータケース１の円筒部１ａの前記通気孔３８から速やかに外部へ排出することができる。
【００７３】
以上のように、この実施の形態の小型モータによると、前記モータケース１の一端を塞ぐ前記エンドカバー２上に、前記整流子８に接触する前記モータブラシ９を保持する前記ブラシホルダ１０を設け、前記モータブラシ９の軸線が前記回転子軸３の中心線に対して直角以外の所定角度で交わるように、前記ブラシホルダ１０に保持された前記モータブラシ９を前記整流子８に当接させるようにしたことで、モータの外形を大きくすることなく、前記モータブラシ９を広い接触面積にて前記整流子８面に接触させることができ、また、該接触部の電流容量を増大することで、直流モータを高トルクで駆動することができる。
【産業上の利用可能性】
【００７４】
本発明の小型モータは、モータブラシをモータの回転子軸に直交する方向に設置する必要がなくなり、モータの外径を縮小化することができ、また、モータブラシを広い接触面積にて整流子面に接触させることができるため、この接触部の電流容量を大きくすることができ、直流モータを高トルクで駆動することができるという効果を有し、例えばラジコンに使用する小型モータ等に有用である。
【図面の簡単な説明】
【００７５】
【図１】本発明の実施の形態による小型モータを示す要部の斜視図である。
【図２】図１に示す小型モータの断面図である。
【図３】本発明におけるモータブラシの取り付け構造を示す分解斜視図である。
【図４】図１に示す小型モータの平面図である。
【図５】本発明の他の実施形態による小形モータを示す要部の斜視図である。
【図６】図５に示す小形モータの平面図である。
【図７】本発明におけるモータブラシの他の取り付け構造を示す分解斜視図である。
【図８】図５に示す小形モータを一部破断して示す正面図である。
【図９】図５に示す小形モータの全体を示す斜視図である。
【図１０】図５における丸型ファストン端子と支持筒との圧入過程を示す説明図である。
【符号の説明】
【００７６】
１  モータケース
２  エンドカバー
３  回転子軸
５  軸受保持板
７  回路基板
８  整流子
９  モータブラシ
１０  ブラシホルダ
１４  ブラシ支持板係止切欠（ブラシ支持板保持部）
１９  丸型ファストン端子
２６  係止片
２７  放熱フィン
３２  発光ダイオード
３５  スプリング部材
３７  水平溝
３８  吸排気孔
４０  電源ワイヤ
【図１】
2006325388.tif 000003
【図２】
2006325388.tif 000004
【図３】
2006325388.tif 000005
【図４】
2006325388.tif 000006
【図５】
2006325388.tif 000007
【図６】
2006325388.tif 000008
【図７】
2006325388.tif 000009
【図８】
2006325388.tif 000010
【図９】
2006325388.tif 000011
【図１０】
2006325388.tif 000012